(57)【要約】【課題】  テンプルを眼鏡装着者の頭部に沿って後頭部まで十分に延ばすことで、位置ずれや脱落防止を効果的に抑制できる簡単な構成の眼鏡用テンプルを提供する。【解決手段】  テンプルの後端から延伸し、眼鏡装着者の後頭部まで延びる延長テンプルを備えた眼鏡用テンプルであって、後方部分が前記眼鏡装着者の頭部に沿うように湾曲して形成されたテンプル本体１０と、このテンプル本体１０の前記後方部分と同じ曲率Ｒを有するように形成され、テンプル本体１０の後端と回動自在に連結された延長テンプル１１とを有し、延長テンプル１１を前方に向けて回動させ、テンプル本体１０に沿って延長テンプル１１を収納できる構成としてある。【選択図】  図１
2017198813.tif 000002
【特許請求の範囲】
【請求項１】
テンプルの後端から延伸し、眼鏡装着者の後頭部まで延びる延長テンプルを備えた眼鏡用テンプルであって、
後方部分が前記眼鏡装着者の頭部に沿うように湾曲して形成されたテンプル本体と、
このテンプル本体の前記後方部分と同じ曲率を有するように形成され、前記テンプル本体の後端と回動自在に連結された延長テンプルとを有し、
前記延長テンプルを前方に向けて回動させ、前記テンプル本体に沿って前記延長テンプルを収納すること、
を特徴とする眼鏡用テンプル。
【請求項２】
前記延長テンプルは、前記テンプル本体の側面に形成された薄肉状の収納部に収納されることを特徴とする請求項１に記載の眼鏡用テンプル。
【請求項３】
前記テンプル本体及び前記延長テンプルを前記眼鏡装着者の頭部に密着させる方向に付勢する付勢手段を有することを特徴とする請求項１又は２に記載の眼鏡用テンプル。
【請求項４】
前記延長テンプルを前記収納部から後方に向けて回動させたときに、前記延長テンプルを所定の回動角度位置で停止させるストッパを設けたことを特徴とする請求項１〜３のいずれかに記載の眼鏡用テンプル。
【請求項５】
前記延長テンプルの形状を、前記延長テンプルを前記テンプル本体の前記収納部に収納したときに、前記テンプル本体の後方部分と一致した形状としたことを特徴とする請求項１〜４のいずれかに記載の眼鏡用テンプル。
【請求項６】
前記延長テンプルに、眼鏡のフロント部分との重量バランスを図るためのバランサーを設けたことを特徴とする請求項１〜５のいずれかに記載の眼鏡用テンプル。
【請求項７】
左右の前記延長テンプルの長さを、前記左右の延長テンプルの後端どうしが接触するように設定し、前記左右の延長テンプルに設けた連結手段により前記後端どうしを連結することを特徴とする請求項１〜６のいずれかに記載の眼鏡用テンプル。
【請求項８】
前記連結手段が磁着体であることを特徴とする請求項７に記載の眼鏡用テンプル。
【請求項９】
前記収納部と前記延長テンプルとに磁着体を設け、前記延長テンプルを前記テンプル本体に沿って収納したときに、前記テンプル本体に前記延長テンプルが磁着固定されて収納されるようにしたことを特徴とする請求項１〜８のいずれかに記載の眼鏡用テンプル。
【請求項１０】
前記テンプル本体に対して前記延長テンプルを回動自在に取り付ける回動軸を、前記テンプル本体の軸線方向に移動可能に設けたことを特徴とする請求項１〜９のいずれかに記載の眼鏡用テンプル。
【請求項１１】
前記回動軸を、前記テンプル本体の軸線方向に形成した長孔に設けたことを特徴とする請求項１０に記載の眼鏡用テンプル。
【請求項１２】
前記回動軸を、前記テンプル本体の軸線方向に対して所定位置で位置決めする位置決め手段を有することを特徴とする請求項１０又は１１に記載の眼鏡用テンプル。
【発明の詳細な説明】
【技術分野】
【０００１】
本発明は、テンプルの後端から延伸し、眼鏡装着者の後頭部まで延びる延長テンプルを備えた眼鏡用テンプルに関する。
【背景技術】
【０００２】
眼鏡装着者の頭部に対して眼鏡が位置ずれしたり脱落したりしないようにする工夫が種々なされている。
例えば特許文献１に記載のメガネフレームのツルは、フロント部両側に折り畳み可能なツル４が取り付けられている。ツル４の長さは調整自在でその先端には耳の外輪又は外輪内側にある窪みに係合するパット６が設けられていて、バネ力によってパット６を付勢することで、運動時にもメガネの位置ずれがしにくいようになっている。
【０００３】
特許文献２，３に記載の眼鏡フレームのずり落ち防止手段は、こめかみ部分やその周辺にバネやクッションの付勢力でパッドを押し付けて摩擦力を増大させ、位置ずれや脱落を防止しようとするものである。
特許文献４に記載のテンプルは、テンプルの後端を眼鏡装着者の後頭部まで延ばし、延ばした部分を湾曲状態にするとともに、当該湾曲状態を反転させることができるように弾性を持たせて形成してある。
また、特許文献５に記載のテンプルは、テンプルの後端を眼鏡装着者の後頭部まで一定の条件（特許文献５の（１）〜（３）で示された条件）を満たす寸法で延長させたものである。
【先行技術文献】
【特許文献】
【０００４】
【特許文献１】特開２００７−２８６４７３号公報
【特許文献２】特開２００２−６２６６号公報
【特許文献３】特開２０１２−２２０８８５号公報
【特許文献４】ＷＯ２０１３／００２３７９号公報
【特許文献５】特開２０１２−２２６１４４号公報
【発明の開示】
【発明が解決しようとする課題】
【０００５】
しかし、特許文献１に記載のツルは構成が複雑で、眼鏡装着者の耳に掛かる負担が大きくなるという問題がある。また、特許文献２，３に記載の眼鏡では、眼鏡の位置ずれや脱落を防止するためには眼鏡装着者のこめかみ部分を強く押圧しなければならず、眼鏡装着者に違和感を覚えさせるという問題がある。さらに特許文献４，５に記載のテンプルでは、テンプルを眼鏡装着者の後頭部まで延ばしてはいるもののその長さが不十分で、バネ等の別の手段を用いて位置ずれや脱落防止の補助を行う必要があるという問題がある。
【０００６】
本発明は上記の課題を解決するためになされたもので、テンプルを眼鏡装着者の頭部に沿って後頭部まで十分に延ばすことで、位置ずれや脱落防止を効果的に抑制しつつ、普通の眼鏡と同様に使用したり折り畳んだりすることが可能で、眼鏡装着者の頭部やこめかみ部にも大きな負担を掛けることのない簡単な構成の眼鏡用テンプルの提供を目的とする。
【課題を解決するための手段】
【０００７】
上記の課題を解決するために請求項１に記載の発明は、テンプルの後端から延伸し、眼鏡装着者の後頭部まで延びる延長テンプルを備えた眼鏡用テンプルであって、後方部分が前記眼鏡装着者の頭部に沿うように湾曲して形成されたテンプル本体と、このテンプル本体の前記後方部分と同じ曲率を有するように形成され、前記テンプル本体の後端と回動自在に連結された延長テンプルとを有し、前記延長テンプルを前方に向けて回動させ、前記テンプル本体に沿って前記延長テンプルを収納する眼鏡用テンプルとしてある。
【０００８】
この構成によれば、延長テンプルはテンプルの折り畳み時にはテンプル本体と一体になって収容されていて、普通の眼鏡と同様に使用したり折り畳んだりすることができる。眼鏡使用時には、延長テンプルをテンプル本体に対して回動させることで、延長テンプルがテンプル本体から延出されるが、延長テンプルはテンプル本体と同じ曲率を有するように形成されているので、延長テンプルを眼鏡装着者の後頭部に沿ってテンプル本体から延ばすことができる。これにより、眼鏡装着者のこめかみ部分や耳に大きな負担を掛けることなく、眼鏡の位置ずれや脱落防止を効果的に抑制することができる。
【０００９】
前記延長テンプルは、テンプル本体の側面に沿わせて収納するようにしてもよいが、請求項２に記載するようにテンプル本体の側面に薄肉状の収納部を形成して、延長テンプルがこの収納部に収納できるようにしてもよい。このようにすることで、延長テンプルを収納したときの眼鏡のデザインをすっきりさせることができる。
請求項３に記載するように、前記テンプル本体及び前記延長テンプルを前記眼鏡装着者の頭部に密着させる方向に付勢する付勢手段を設けてもよい。前記付勢手段としては、前記テンプル本体や前記延長テンプルの材質又は形状（肉厚、断面形状等）として、前記眼鏡装着者の頭部の形状に合わせてばね状に弾性変形するものを選択したり、ばねヒンジなどの付勢手段を用いてもよい。このようにすることで、前記テンプル本体及び前記延長テンプルを前記眼鏡装着者の頭部に密着させることができ、位置ずれ抑制効果や脱落防止効果をより高めることができる。
【００１０】
請求項４に記載するように、前記延長テンプルを前記収納部から後方に向けて回動させたときに、前記延長テンプルを所定の回動角度位置で停止させるストッパを設けるとよい。また、請求項５に記載するように、前記延長テンプルの形状を、前記延長テンプルを前記テンプル本体の前記収納部に収納したときに、前記テンプル本体の後方部分と一致した形状とするとよい。このようにすることで、前記延長テンプルを前記テンプル本体の後方部分と一体化した状態で収納することができ、収納時のデザインをすっきりとさせることができる。
【００１１】
請求項６に記載するように、前記延長テンプルに、眼鏡のフロント部分との重量バランスを図るためのバランサーを設けてもよい。バランサーは、延長テンプルと別体であってもよいし、前記延長テンプルの自重によるものであってもよい。眼鏡のフロント部分とのバランスをとることで、位置ずれしにくくしたり眼鏡装着者の鼻への負荷を軽減したりすることができる。
【００１２】
請求項７に記載するように、左右の前記延長テンプルの長さを、前記左右の延長テンプルの後端どうしが接触するように設定し、前記左右の延長テンプルに設けた連結手段により前記後端どうしを連結するようにしてもよい。前記連結手段としては、請求項８に記載するように磁着体とするとよい。
また、請求項９に記載するように、前記収納部と前記延長テンプルとに磁着体を設け、前記延長テンプルを前記収納部に収納したときに、前記テンプル本体に前記延長テンプルが磁着固定されて収納されるようにしてもよい。前記延長テンプル側の前記磁着体は、請求項８の連結手段を構成する磁着体と同じものとすることができる。
【００１３】
請求項１０に記載するように、前記テンプル本体に対して前記延長テンプルを回動自在に取り付ける回動軸を、前記テンプル本体の軸線方向に移動可能に設けてもよい。この場合、請求項１１に記載するように前記回動軸を、前記テンプル本体の軸線方向に形成した長孔に設けるとよい。このようにすることで、前記テンプル本体からの前記延長テンプルの延出長さを長短調整することができるようになる。また、請求項１２に記載するように前記回動軸を、前記テンプル本体の軸線方向に対して所定位置で位置決めする位置決め手段を設けてもよい。
【発明を実施するための最良の形態】
【００１４】
以下、本発明の好適な実施形態を、図面を参照しつつ詳細に説明する。なお、以下の説明において「前」と記載するときは、眼鏡のフロントフレーム側を指し、「後」と記載するときは眼鏡装着者の後頭部側を指すものとする。
［第一の実施形態］
図１は本発明の第一の実施形態の眼鏡用テンプルにかかり、（ａ）は眼鏡用テンプルの平面図、（ｂ）は（ａ）のＺ方向矢視図、図２（ａ）は延長テンプルをテンプル本体に対して回動自在に取り付ける回動機構の断面図、（ｂ）は（ａ）のＩ−Ｉ方向断面図である。
【００１５】
この発明の眼鏡用テンプル１は、テンプル本体１０と、このテンプル本体１０の後端に回動軸１４によって回動自在に取り付けられた延長テンプル１１とから概略構成される。
【００１６】
［テンプル本体］
テンプル本体１０の材質は、眼鏡用のテンプルに利用可能なものであれば特に問わないが、一般的には樹脂や金属などで形成することができる。そして、眼鏡装着時に眼鏡装着者の頭部に沿って容易に弾性変形できる程度の弾性を備えるのが好ましく、図示の例のように板状に形成してより弾性変形しやすいようにしてもよい。
テンプル本体１０のほぼ中央あたりから後端に向かう後方部分は、眼鏡装着者の頭部に沿うように湾曲して形成され、かつ、その一面側（図示の例では、眼鏡装着者の頭部とは反対側である外側の面）が前方部分よりも、延長テンプル１１の肉厚分だけ薄肉に形成されている。
【００１７】
［延長テンプル］
テンプル本体１０の後端から眼鏡装着者の後頭部に沿って延出する延長テンプル１１は、テンプル本体１０の後端に回動軸１４によって回動自在に取り付けられる。回動軸１４を軸として延長テンプル１１をテンプル本体１０の前方（図１（ｂ）において反時計回り方向）に回転させると、延長テンプル１１は経路(i)(ii)(iii)を辿ってテンプル本体１０の薄肉に形成した部分１０ａに収納され、後方（同時計回り方向）に回転させると、延長テンプル１１は経路(iii) (ii) (i)を辿ってテンプル本体１０の後端から延出する。この実施形態では、前記薄肉に形成した部分１０ａが、延長テンプル１１をテンプル本体１０と一体的に収納する収納部を構成する（以下、当該部分を「収納部１０ａ」として記載する）。
【００１８】
延長テンプル１１は、テンプル本体１０と同様な弾性を有する樹脂や金属の板材で形成するのが好ましい。そして、収納部１０ａに収納されたときに延長テンプル１１がテンプル本体１０の後方部分に沿い、かつ、テンプル本体１０の後方部分と一体になって収納されるように、その形状はテンプル本体１０の後方部分と一致した形状に形成するとともに、延長テンプル１１を収納したときの延長テンプル１１と収納部１０ａとが接する接触面の曲率（同心の円弧の半径Ｒ（図１（ａ）参照））が一致するように形成されている。
【００１９】
［回動機構及びストッパ］
延長テンプル１１をテンプル本体１０に対して回動自在に取り付ける回動機構は、延長テンプル１１の後端に設けられた回動軸１４と、収納部１０ａの後端に貫通形成された軸孔１５と、回動軸１４の軸部に形成されたねじ孔１４ａに螺入されるねじ１７とを有する。
収納部１０ａには軸孔１５と同心状に部分円弧状の溝１６が形成され、この溝１６に嵌り込む突起１１ａが延長テンプル１１に形成されている。そして、回動軸１４を軸として延長テンプル１１を回動させたときに、突起１１ａが部分円弧状の溝１６の終端に当接することで、延長テンプル１１の回動が規制される。すなわち、この実施形態では、溝１６の両端と突起１１ａとが、延長テンプル１１をテンプル本体１０に対して所定角度回動させた位置で停止させるストッパを構成する。
なお、部分円弧状の溝１６を延長テンプル１１側に形成し、突起１１ａを収納部１０ａ側に形成するものとしてもよい。
【００２０】
［磁着体］
延長テンプル１１の後端には磁着体１３が設けられ、延長テンプル１１を収納したときの収納部１０ａの磁着体１３に対応する位置には別の磁着体１２が取り付けられている。一方の磁着体（例えば磁着体１２）は磁石又は磁石に磁着する金属等であり、他方の磁着体（例えば磁着体１３）は一方の磁着体１２に磁着する金属等又は磁石とすることができる。なお、テンプル本体１０又は延長テンプル１１を磁着性の金属で形成する場合は、これらそのものを磁着体１２又は磁着体１３として利用することができる。このようにすることで、延長テンプル１１を収納部１０ａに収納したときに、磁着体１２と磁着体１３とが磁着することで、延長テンプル１１は収納部１０ａ内で固定される。
【００２１】
［延長テンプルの長さ及び連結手段］
延長テンプル１１は、テンプル本体１０の後端から延出することで眼鏡装着者の頭部との接触面積を増大させ、位置ずれや脱落を防止する効果を発揮する。左右の眼鏡用テンプル１，１のそれぞれに延長テンプル１１，１１を設け、かつ、眼鏡装着者の後頭部で左右の延長テンプル１１，１１の後端どうしが連結できるように延長テンプル１１，１１の長さを選択し、さらに延長テンプル１１，１１の後端どうしを連結できるようにすれば、位置ずれ抑制や脱落防止の効果を最大にすることができる。
【００２２】
図３は、本発明の眼鏡用テンプル１，１を備えた眼鏡２の概略斜視図で、（ａ）は延長テンプル１１，１１をテンプル本体１０に収納した状態を、（ｂ）は延長テンプル１１，１１をテンプル本体１０から延出した状態を示している。
眼鏡２は、左右のレンズ２４，２４を保持するフロントフレーム２３と、フロントフレーム２３の両端に設けられた智２２及びヒンジ２５とを備えており、本発明の眼鏡用テンプル１，１はヒンジ２５，２５によって折り畳み自在にフロントフレーム２３に取り付けられる。
【００２３】
（ａ）に示すように、延長テンプル１１，１１をテンプル本体１０に収納した状態では、通常の眼鏡とほぼ同じ形態であるが、回動軸１４を中心に延長テンプル１１，１１を回動させて延長テンプル１１，１１をテンプル本体１０から延出させると、（ｂ）に示すように左右の延長テンプル１１，１１が眼鏡装着者の頭部の後ろまで回り込んで後端どうしが部分的に重なるから、前記後端どうしをクリップやフック、面ファスナー等の連結手段によって連結すればよい。延長テンプル１１，１１の後端に磁着体１３，１３を設ける場合には、磁着体１３，１３として磁石を用いることで、前記後端どうしを連結することができる。
【００２４】
［第二の実施形態］
図４及び図５は本発明の眼鏡用テンプルの第二の実施形態にかかり、図４（ａ）は長孔を設けた眼鏡用テンプルの側面図、（ｂ）（ｃ）は延長テンプルを延出した状態を示す側面図、図５（ａ）は第二の実施形態における回動機構とストッパの構成を説明する断面説明図、図５（ｂ）は、第二の実施形態のさらに他の実施形態を説明する図である。
この実施形態においては、収納部１０ａに長孔１９を形成している。そして、この長孔１９に回動軸１４を挿通させ、回動軸１４を長孔１９に沿って移動可能とすることで、テンプル本体１０からの延長テンプル１１の延出長さを、（ｂ）に示す長い状態と（ｃ）に示す短い状態との間で変更できるようにしている。
【００２５】
図５（ａ）に示すように、長孔１９には長孔１９内で回転せずにスライド自在な矩形状の駒１８が嵌め込まれ、この駒１８に軸孔１５が形成されている。他の構成については先の実施形態の回動機構及びストッパと同じである。
このようにすれば、眼鏡の使用状況の違い頭部の大きさの違いなどに応じて、延長テンプル１１の延出長さを調整することが可能である。
なお、眼鏡装着時は、延長テンプル１１が眼鏡装着者の後頭部に付勢されることによる弾性によって、駒１８は長孔１９の周縁に押し付けられることから、眼鏡装着時に駒１８が移動して延長テンプル１１の延出長さが容易に変化するということはない。図５（ｂ）に示すさらに他の実施形態のように、長孔１９の縁部に接する駒１８の縁部に磁着体（磁着性のある金属等又は磁石）１８ａを設け、長孔１９の縁部に沿って磁着体（磁石又は磁着性のある金属等）１９ａを配置してもよい。このようにすれば、磁着体１８ａ，１９ａの磁着作用によって、駒１８を所定位置に位置決めし容易に移動しようにすることができる。
【００２６】
［第三の実施形態］
図６は本発明の眼鏡用テンプルの第三の実施形態にかかり、眼鏡用テンプルにバランサーを設ける一例を示す眼鏡の斜視図である。
眼鏡２を装着したときに眼鏡２を位置ずれしにくくしたり鼻パッド２６を介しての眼鏡装着者の鼻に作用する負荷を軽減したりするには、眼鏡用テンプル１における眼鏡装着者の耳より後方の部分の重量を増やして、眼鏡２の重心位置がちょうど眼鏡装着者の耳のところにくるように、智２２，フロントフレーム２３，レンズ２４及びテンプル本体１０の前方部分などを含む眼鏡２のフロント部分との重量バランスをとるとよい。延長テンプル１１の重量を前記フロント部分の重量との間でバランスのとれるものとしてもよいが、この実施形態では、左右の延長テンプル１，１の後端の連結部分に、前記フロント部分との間で重量のバランスをとるためのバランサー（錘）Ｂを取り付けている。バランサー（錘）Ｂは図示するようなクリップ状に形成してもよいし、磁着体１３（図１参照）と磁着する磁石や金属で形成してもよい。
このような着脱自在なバランサー（錘）Ｂを用いることで、眼鏡装着者の鼻に作用する負荷に応じて、重さの異なるバランサー（錘）Ｂに交換することが可能である。
【００２７】
本発明の好適な実施形態について説明したが、本発明は上記の説明に限定されるものではない。
例えば、上記の説明ではテンプル本体１０や延長テンプル１１は、弾性を有する樹脂や金属の板材で形成するのがよいとしたが、これはテンプル本体１０や延長テンプル１１の有する曲率と弾性を利用して、テンプル本体１０や延長テンプル１１を眼鏡装着者の頭部に密着させるためであり、同様の作用を奏するのであれば、弾性の乏しい材料で形成してばねヒンジの付勢力によってテンプル本体１０や延長テンプル１１を眼鏡装着者の頭部に密着させるようにしてもよい。
また、上記の説明では延長テンプル１１の肉厚分だけ薄肉状に形成した部分を延長テンプル１１の収納部１０ａとするとして説明したが、このような薄肉状の収納部１０ａは特に設けなくてもよく、前端から後端まで同じ肉厚のテンプル本体１０の側面に沿わせて延長テンプル１１を収納するようにしてもよい。
さらに、図５（ｂ）に示した第二の実施形態の他の実施形態では、位置決め手段として磁着体１８ａ，１９ａを挙げているが、駒１８の位置決めを行うことができるのであれば、長孔１９の縁部に凹部又は凸部を形成し、駒１８側にこれと係合する凸部又は凹部を形成するもものとしてもよい。
【図面の簡単な説明】
【００２８】
【図１】本発明の第一の実施形態の眼鏡用テンプルにかかり、（ａ）は眼鏡用テンプルの平面図、（ｂ）は（ａ）のＺ方向矢視図である。
【図２】本発明の第一の実施形態の眼鏡用テンプルにかかり、（ａ）は延長テンプルをテンプル本体に対して回動自在に取り付ける回動機構の断面図、（ｂ）は（ａ）のＩ−Ｉ方向断面図である。
【図３】本発明の眼鏡用テンプルを備えた眼鏡の概略斜視図で、（ａ）は延長テンプルをテンプル本体に収納した状態を、（ｂ）は延長テンプルをテンプル本体から延出した状態を示している。
【図４】本発明の眼鏡用テンプルの第二の実施形態にかかり、（ａ）は長孔を設けた眼鏡用テンプルの側面図、（ｂ）（ｃ）は延長テンプルを延出した状態を示す側面図である。
【図５】（ａ）は第二の実施形態における回動機構とストッパの構成を説明する断面説明図、（ｂ）は、第二の実施形態のさらに他の実施形態を説明する図である。
【図６】本発明の眼鏡用テンプルの第三の実施形態にかかり、眼鏡用テンプルにバランサーを設ける一例を示す眼鏡の斜視図である。
【符号の説明】
【００２９】
１        眼鏡用テンプル
１０      テンプル本体
１０ａ    収納部
１１      延長テンプル
１１ａ    突起
１２，１３      磁着体
１４      回動軸
１４ａ    ねじ孔
１５      軸孔
１６      溝
１７      ねじ
１８      駒
１８ａ    磁着体
１９      長孔
１９ａ    磁着体
２        眼鏡
２２      智
２３      フロントフレーム
２４      レンズ
２５      ヒンジ
Ｂ        バランサー（錘）
【図１】
2017198813.tif 000003
【図２】
2017198813.tif 000004
【図３】
2017198813.tif 000005
【図４】
2017198813.tif 000006
【図５】
2017198813.tif 000007
【図６】
2017198813.tif 000008